(57)【要約】【課題】簡単な構成により安価に設置することのできる男子用便器の提供。【解決手段】男子用便器１は、洋式便器１０の便蓋１３の後方位置で洋式便器１０を跨いで設置される本体フレーム２と、先端に小便受口２１が形成され底端に小便排出口２２が形成された有底筒状の小便収容筒２２と、小便収容筒２２が便蓋１３後方の直立位置と便蓋１３上方の小便受位置との間で揺動するように本体フレーム２に対し小便収容筒２０を揺動自在に枢支する枢支部９，１８とを備えてなり、小便収容筒２０の小便受口２１が小便収容筒２０の揺動方向と略直交する横方向に長い横長に形成されるとともに、小便収容筒２０を直立位置で格納する格納部が本体フレーム２に形成されたものである。【選択図】図３
2008133705.tif 000002
【特許請求の範囲】
【請求項１】
洋式便器の便蓋の後方位置で洋式便器を跨いで設置される本体フレームと、揺動先端に小便受口が形成され底端に小便排出口が形成された有底筒状の小便収容筒と、小便収容筒が便蓋後方の直立位置と便蓋上方の小便受位置との間で揺動するように本体フレームに対し小便収容筒を上下揺動自在に枢支する枢支部とを備えてなり、小便収容筒を前記直立位置で格納する格納部が本体フレームに形成されていることを特徴とする男子用便器。
【請求項２】
格納部内の上部に配置されていて直立位置の小便収容筒の小便受口に散水する洗浄ノズルと、小便収容筒が格納部内の直立位置まで起立したことを検知する検知手段と、小便収容筒が格納部内の直立位置まで起立したことが検知手段により検知されたときに洗浄ノズルから小便収容筒に散水させる散水手段とを備えている請求項１に記載の男子用便器。
【請求項３】
小便収容筒が、本体フレームに対して上下揺動自在に枢支される基台部と、基台部に着脱可能に装着される有底筒状のカートリッジとから構成され、カートリッジの先端に小便受口が形成されカートリッジの底端に小便排出口が形成されている請求項１または請求項２に記載の男子用便器。
【請求項４】
枢支部が、洋式便器の便器本体に便蓋を上下揺動自在に枢支する枢支軸を含んでいる請求項１から請求項３のいずれか一項に記載の男子用便器。
【請求項５】
洋式便器の便器本体に上下揺動自在に枢支される便蓋に、揺動先端に小便受口が形成され底端に小便排出口が形成された有底筒状の小便収容筒を一体に設けたことを特徴とする男子用便器。
【請求項６】
小便収容筒の小便受口を開閉する蓋部を有していて便器本体に上下揺動自在に枢支されたカバー部材と、小便収容筒の小便受口を蓋止する蓋部の蓋止面に配置されていて蓋止された小便受口に散水する洗浄ノズルと、カバー部材の蓋部が小便収容筒の小便受口を蓋止したことを検知する検知手段と、カバー部材の蓋部が小便収容筒の小便受口を蓋止したことが検知手段により検知されたときに洗浄ノズルから小便収容筒に散水させる散水手段とを備えている請求項５に記載の男子用便器。
【請求項７】
小便収容筒が、便蓋に一体に設けられた基台部と、該基台部に着脱可能に装着される有底筒状のカートリッジとから構成され、カートリッジの先端に小便受口が形成されカートリッジの底端に小便排出口が形成されている請求項５または請求項６のいずれか一項に記載の男子用便器。
【請求項８】
小便収容筒の小便受口が横長に形成されている請求項１から請求項７のいずれか一項に記載の男子用便器。
【発明の詳細な説明】
【技術分野】
【０００１】
本発明は、着座式の洋式便器に用いられる男子用便器に関するものである。
【背景技術】
【０００２】
近年の住宅事情により、狭いスペースに設置できる大小便兼用型の洋式便器が採用されている。かかる洋式便器では、便器本体が床面近くの低い位置に設置されて上面が開口しているので、男性が立った姿勢で用を足す際には小便をこぼさないよう下を向き、便器本体の上面開口に狙いを定め、またわずかに腰を折り前屈みの姿勢を保って用を足さなければならない。前記のような姿勢は不安定であり長時間保つことが苦痛となるので、小便が前方や側方に飛び散って洋式便器や床を汚すことが多かった。
そこで、下記特許文献１に記載のように、一端に小便受口を有する小便収容筒が金属製の蛇腹体やクランク体を介して位置可変に配備されていて、小便収容筒内を洗浄手段により洗浄するようにしたものが提案されている。
【０００３】
【特許文献１】特開２００４−１１６１８８号公報
【発明の開示】
【発明が解決しようとする課題】
【０００４】
男性器は個人差はあるが左右いずれかに曲がっていることが一般的である。そのために、男性の小用の際には前後よりも左右方向の的当てが難しいとされている。ところが、上記文献開示の男子用便器は小便受口が円形に形成されていてその口径は比較的小さいので、放出された小便が小便受口の左右に外れて周囲を汚すことが多い。また、この男子用便器では、小便収容筒の洗浄に際して洗浄ボタンを押す必要があるが、利用者が洗浄ボタンを押し忘れると臭気がこもることになる。そして、小便収容筒は使用されないときでも洋式便器の側方など見えるところにあるので、いやでも利用者の目に留まり快適感を損なわせやすい。
【０００５】
また、上記特許文献１以外にもいくつかの特許文献に男子用便器が記載されているが、これらの男子用便器も利便性を追求するあまり、構成が複雑になり非常に高価なものとなって実現性に乏しいものが多い。
【０００６】
本発明は、上記した従来の問題点に鑑みてなされたものであり、簡単な構成により安価に設置することのできる男子用便器の提供を目的とする。
【課題を解決するための手段】
【０００７】
上記目的を達成するために、本発明に係る男子用便器は、洋式便器の便蓋の後方位置で洋式便器を跨いで設置される本体フレームと、揺動先端に小便受口が形成され底端に小便排出口が形成された有底筒状の小便収容筒と、小便収容筒が便蓋後方の直立位置と便蓋上方の小便受位置との間で揺動するように本体フレームに対し小便収容筒を上下揺動自在に枢支する枢支部とを備えてなり、小便収容筒を前記直立位置で格納する格納部が本体フレームに形成されている構成にしてある。
【０００８】
また、前記構成において、格納部内の上部に配置されていて直立位置の小便収容筒の小便受口に散水する洗浄ノズルと、小便収容筒が格納部内の直立位置まで起立したことを検知する検知手段と、小便収容筒が格納部内の直立位置まで起立したことが検知手段により検知されたときに洗浄ノズルから小便収容筒に散水させる散水手段とを備えているものである。
【０００９】
そして、前記した各構成において、小便収容筒が、本体フレームに対して上下揺動自在に枢支される基台部と、基台部に着脱可能に装着される有底筒状のカートリッジとから構成され、カートリッジの先端に小便受口が形成されカートリッジの底端に小便排出口が形成されているものである。
【００１０】
更に、前記した各構成において、枢支部が、洋式便器の便器本体に便蓋を上下揺動自在に枢支する枢支軸を含んでいるものである。
【００１１】
また、本発明に係る別の男子用便器は、洋式便器の便器本体に上下揺動自在に枢支される便蓋に、揺動先端に小便受口が形成され底端に小便排出口が形成された有底筒状の小便収容筒を一体に設けた構成にしてある。
【００１２】
そして、前記別の男子用便器において、小便収容筒の小便受口を開閉する蓋部を有していて便器本体に上下揺動自在に枢支されたカバー部材と、小便収容筒の小便受口を蓋止する蓋部の蓋止面に配置されていて蓋止された小便受口に散水する洗浄ノズルと、カバー部材の蓋部が小便収容筒の小便受口を蓋止したことを検知する検知手段と、カバー部材の蓋部が小便収容筒の小便受口を蓋止したことが検知手段により検知されたときに洗浄ノズルから小便収容筒に散水させる散水手段とを備えているものである。
【００１３】
更に、前記別の男子用便器のそれぞれにおいて、小便収容筒が、便蓋に一体に設けられた基台部と、該基台部に着脱可能に装着される有底筒状のカートリッジとから構成され、カートリッジの先端に小便受口が形成されカートリッジの底端に小便排出口が形成されているものである。
【００１４】
また、前記男子用便器のそれぞれにおいて、小便収容筒の小便受口が横長に形成されているものである。
【発明の効果】
【００１５】
本発明に係る男子用便器によれば、本体フレームが洋式便器を跨ぐ簡単な構成であるので、既存の洋式便器に簡単に後付けできて安価に提供される。また、使用しないときは小便収容筒を本体フレームの格納部に直立状態で格納できるので、余計な場所をとることがなく見た目によい。
【００１６】
また、小便収容筒の直立検知があったときに洗浄ノズルから小便収容筒内に散水させる構成とした場合は、小便収容筒を格納部に格納させるだけで自動的に小便収容筒の内壁面を水洗するので、小便収容筒は使用後に臭気が漂うことがなく常に清潔に保つことができる。
【００１７】
そして、小便収容筒の一部を、小便受口と小便排出口を有するカートリッジで構成したものでは、経時使用によりカートリッジ内面の汚れがひどくなってきたときに、カートリッジを基台部から簡単に取り外して洗浄したり新たなカートリッジと交換したりできる。これにより、心地よく使用することができる。
【００１８】
更に、枢支部が洋式便器の便器本体に対して便蓋を枢支する枢支軸を含んでいる場合は、洋式便器の既存の枢支軸をそのまま共用することができる。従って、本体フレームに枢支部用の軸穴などを設ける必要がなく、製作の手間とコストの削減化を図ることができる。
【００１９】
また、本発明に係る別の男子用便器によれば、有底筒状の小便収容筒を便蓋と一体に設けた簡単な構成であって、既存の汎用便蓋と交換して使用することができる。これにより、既存の洋式便器に簡単に後付けされて安価に提供される。
【００２０】
そして、小便収容筒の小便受口を横長に形成したものでは、男性利用者が小便を左右横方向に飛ばしても小便収容筒内に確実に収受することができる。
【発明を実施するための最良の形態】
【００２１】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る男子用便器およびこれを設置した洋式便器を示す外観図、図２は前記男子用便器および洋式便器の正面図、図３は前記男子用便器および洋式便器の左側面図、図４は前記男子用便器および洋式便器の部分左側面図である。
各図において、この実施形態に係る男子用便器１は、上部に格納部５が形成された本体フレーム２と、本体フレーム２の格納部５内に格納される小便収容筒２０と、一端が小便収容筒２０に連結されるとともに他端である自由端が便器本体１１の便受槽内に投入される可撓性のチューブ３０とを備えている。本体フレーム２の上部には正面視矩形状の格納部５が形成され、本体フレーム２の下部（格納部５の左右下端部）には脚部３，３がそれぞれ垂設されている。格納部５はその背面が背板部７で遮蔽され、その前面が前面開口６となっている。本体フレーム２の両側部には、左右横方向に貫通した１対の軸穴１８，１８が形成されている。
【００２２】
小便収容筒２０はその揺動側の先端に左右横長の小便受口２１を有する有底角筒状に形成されている。小便収容筒２０の底端には小便排出口２２が形成されている。直立状態とした小便収容筒２０の前面には把手２３が取り付けられている。小便排出口２２近傍の小便収容筒２０の左右両側部には左右外向きの１対の枢支軸９，９が突設されている。これらの枢支軸９，９は本体フレーム２の左右側部の軸穴１８，１８に回動自在に枢支される。すなわち、枢支軸９および軸穴１８からなる構成が、小便収容筒２０の底端を便蓋１３後方の直立位置（図１および図４に実線で示した小便収容筒２０の位置）と便蓋１３上方の小便受位置（図２および図３に実線で示した小便収容筒２０の位置または図４に２点鎖線で示した小便収容筒２０の位置であり、起立姿勢の男性利用者の男性器と間近で対面する位置である）との間で揺動自在（矢印３１方向およびその反対方向）に枢支する枢支部４５である。本体フレーム２と小便収容筒２０とは可撓性のワイヤ４６で繋がれており、ワイヤ４６の長さは小便収容筒２０が便蓋１３上方の小便受位置で止まるように調整されている。小便受位置にある小便収容筒２０の内底面は小便排出口２２に向けて低くなるように設定されている。
【００２３】
また、本体フレーム２における格納部５内上部の天井部には、通水用の水路部２７が左右方向に配備されている。この水路部２７には、噴水口を下向きにした複数の洗浄ノズル２８，２８，２８，・・・が取り付けられている。洗浄ノズル２８，２８，２８，・・・は格納部５に直立格納された小便収容筒２０の小便受口２１から小便収容筒２０内に向けて散水するようになっており、洗浄ノズル２８，２８，２８，・・・の配置は各ノズルからの噴水が小便収容筒２０の内壁面全体に行き渡る位置に設定されている。そして、直立姿勢とした小便収容筒２０の背面上部にはマグネット２４が固着されている。格納部５内における背板部７の上部にも、小便収容筒２０のマグネット２４と着脱自在に磁着するマグネット２５が固着されている。また、格納部５内における背板部７には、小便収容筒２０が格納部５内の格納位置（直立位置）に達したときに入となり格納位置から前方に揺動したときに切となるスイッチ２６（本発明にいう検知手段の例）が配設されている。
【００２４】
上記の男子用便器１が付設される洋式便器１０は既設の汎用品であり、便受槽を有する便器本体１１と、便器本体１１の上面に載置される便座１２と、便座１２の上方を蓋う便蓋１３と、便受槽の水出口３５や噴水部３７などに供給される洗浄水を一時貯留する水タンク１７と、制御装置３２などを収容した制御箱１４とからなっている。便座１２と便蓋１３はそれぞれ枢支軸１５を介して便器本体１１に対し揺動自在（矢印１６方向およびその反対方向）に枢支されている。便蓋１３の上面には、直立状態の小便収容筒２０の前面に設けられたマグネット５１と着脱自在に磁着するマグネット５０が設けられている。
【００２５】
洋式便器１０は、図５に示すように、制御箱１４内に、噴水部３７へ給水するポンプ３６、水出口３５への水路を開閉する電磁弁３４、および、これらを制御する制御装置３２を備えている。入力部３３は噴水部３７の噴水温度や噴水量などを外部から設定入力するためのものであり制御装置３２の入力側と接続されている。ポンプ１９は水タンク１７の洗浄水を洗浄ノズル２８に送るものであり、配管２９および水路部２７を介して洗浄ノズル２８と配管接続されている。
【００２６】
上記のように構成された男子用便器１の作用を次に説明する。まず、男子用便器１の格納部５が既設の洋式便器１０の制御箱１４の上方位置で、且つ、便蓋１３と水タンク１７との間に配置されるように、本体フレーム２を洋式便器１０に跨がせて左右の脚部３，３を床面に設置する。可撓チューブ３０はその一端を小便収容筒２０の小便排出口２２に接続し、その自由端を便器本体１１の便受槽内に投入しておく。このように男子用便器１を設置した状態であっても、便座１２および便蓋１３は開閉自由であり、洋式便器１０の使用に何ら支障を生じない。
そして、男性利用者が小用を足すにあたり把手２３を持って小便収容筒２０を手前に引くと、マグネット２４が本体フレーム２のマグネット２５から離脱する。同時に、小便収容筒２０が枢支部４５の枢支軸９回り（矢印３１の反対方向）に揺動し、小便受口２１が便蓋１３前端の前上方の小便受位置まで進出したところでチェーン４６の緊張により揺動停止する。
【００２７】
このとき、小便受口２１は男性器の直下位置から直前位置にわたって開口しているので、男性利用者から勢いよく放出された小便Ｓはもとより、垂れ落ちた小便のしずくも小便受口２１で受けることができる。また、小便受口２１は左右横長に形成されているので、多少横向きに飛び出した小便Ｓでも確実に収受することができる。従って、洋式便器１０およびその周囲が汚れにくくなる。加えて、小便受口２１は左右横方向の口径が便器本体１１の横幅よりも大きく、便器本体１１の左右両側に張り出しているので、小便Ｓが小便受口２１から左右に外れた場合でも便器本体１１に降りかかることはない。上記のようにして小便収容筒２０内に収容された小便Ｓは小便排出口２２から可撓チューブ３０を通って便器本体１１の便受槽内に流入し器外へ排出される。
【００２８】
小用を終えたのち、男性利用者が小便収容筒２０を矢印３１方向に揺動させて起立させ、本体フレーム２の格納部５内に格納する。小便収容筒２０は格納部５内のマグネット２５にマグネット２４が磁着した直立姿勢で停止保持され、同時にスイッチ２６が入電される。スイッチ２６の入電により、制御装置３２がポンプ１９に起動指令信号を出力する。すると、ポンプ１９が駆動して水タンク１７の洗浄水を配管２９へ送水し洗浄ノズル２８，２８，２８，・・・から噴射させる。すなわち、小便収容筒２０が格納部５内の直立位置まで起立したことがスイッチ２６により検知されたときにポンプ１９を駆動させる制御装置３２の機能と、ポンプ１９とからなる組み合わせ構成が散水手段４７の構成となる。洗浄ノズル２８，２８，２８，・・・から噴射された洗浄水は小便収容筒２０の内壁面を全面にわたって洗浄し更に可撓チューブ３０内も洗浄して便器本体１１の便受槽内に流入する。このように、男子用便器１は小便収容筒２０を格納部５に格納するだけで自動的に小便収容筒２０の内壁面を洗浄するので、小便収容筒２０は使用後も臭気が漂うことがなく常に清潔に保たれて快適感を与える。また、使用しないときは小便収容筒２０を本体フレーム２の格納部５に直立状態で格納できるので、図１に見られるように、余計な場所をとることがなく見栄えがよい。
【００２９】
通常の洋式便器１０の使用時において、開かれた便蓋１３はマグネット５０が小便収容筒２０のマグネット５１に磁着して起立姿勢が保たれるため、便座１２上に倒れたり、着座した利用者の背中に触れたりしない。そうして、利用者が便座１２に腰掛けて大便や小便の用を足したのちに入力部３３の便水洗キー（図示省略）を押すと、制御装置３２は電磁弁３４を所定時間開き水タンク１７の洗浄水を出水口３５から流出させて便受槽内を洗浄する。また、入力部３３の臀部水洗キー（図示省略）を押すと、制御装置３２はポンプ３６を所定時間駆動し水タンク１７からの洗浄水を適温にして噴水部３７から噴出させ利用者の臀部を洗浄する。一方で、入力部３３の小便収容筒水洗キー（図示省略）を押すと、男子用便器１の格納部５に格納されている小便収容筒２０へ随時散水することもできる。
【００３０】
尚、本発明の男子用便器としては、例えば図６〜図８に示した実施形態の小便収容筒２０Ａを備えた男子用便器１Ａも含まれる。この小便収容筒２０Ａは、枢支部４５Ａにより本体フレーム２（図１他）に対して揺動自在に枢支される基台部３８と、基台部３８に着脱可能に装着されるカートリッジ３９とから構成されている。基台部３８は、本体フレーム２の前面開口６を蓋う基板部４０と、基板部４０の背面下部に設けられた底板部６１と、底板部６１の上面および基板部４０の背面に立設された一対の側板部５５，５５と、底板部６１の上面後端および側板部５５，５５の後端に固着された受板部５６と、底板部６１の左右下面に設けられた一対の軸受部５７，５７と、本体フレーム２の左右の脚部３，３に掛け渡されて固定される中空軸の枢支軸９Ａとから構成される。前記した基板部４０、底板部６１、側板部５５，５５、および受板部５６で囲まれた空間が、カートリッジ３９を収容して保持する収容ポケットとなる。
【００３１】
カートリッジ３９はその上面に小便受口２１Ａを有しており、底部には可撓チューブ３０の末端と接続される小便排出口２２Ａが設けられている。基台部３８の底板部６１の略中央には、左右横長の底面開口４１が形成されている。この底面開口４１は、カートリッジ３９の小便排出口２２Ａに接続された可撓チューブ３０が開口内で自由に移動できる口径に設定されている。そして、軸受部５７，５７には左右横方向の軸穴１８Ａ，１８Ａが形成されている。これらの軸穴１８Ａ，１８Ａが枢支軸９Ａに回動自在に枢支されることにより、小便収容筒２０Ａが本体フレーム２に対し揺動自在となる。すなわち、枢支軸９Ａと軸穴１８Ａ，１８Ａとから枢支部４５Ａが構成される。
【００３２】
枢支軸９Ａの中央部の軸前上部には前部開口５９が形成され、軸後下部には後部開口６０が形成されている。後部開口６０の周囲には扁平チューブ５８が枢支軸９Ａと一体に形成されている。尚、前記した基台部３８の底面開口４１の先端は下向きに延在して枢支軸９Ａの前部開口５９内に入り込んだ状態に配置されている。そして、前部開口５９と後部開口６０の前後方向の開口幅と開口位置は、小便収容筒２０Ａが直立位置と小便受位置との間を揺動したときに、小便排出口２２Ａ、可撓チューブ３０、および底面開口４１先端が前部開口５９の開口縁と無用な干渉を引き起こすことがなく、かつ、可撓チューブ３０の曲がりを後部開口６０が邪魔しないような範囲にそれぞれ決められている。前記の扁平チューブ５８は枢支軸９Ａから離れるほどより扁平となるように形成されている。かかる扁平形状により、便座１２および便蓋１３と、制御箱１４との狭い隙間でも、可撓チューブ３０を内蔵した扁平チューブ５８を通すことができる。扁平チューブ５８は小便を導く可撓チューブ３０を覆い隠しているので、外部から見て見栄えがよい。
【００３３】
この小便収容筒２０Ａは前記の小便収容筒２０に替えて男子用便器１（図１〜図４）に使用され、男子用便器１Ａとして用いられる。使用に先立って、基台部３８の収容ポケットにカートリッジ３９が装着され、カートリッジ３９とつながった可撓チューブ３０が基台部３８の底面開口４１、枢支軸９Ａの前部開口５９、後部開口６０を経て扁平チューブ５８内に通される。可撓チューブ３０および扁平チューブ５８の自由端は便器本体１１の便受槽内に投入される。
【００３４】
上記した小便収容筒２０Ａを用いると、カートリッジ３９の小便受口２１Ａに小便を収受しやすいことは言うまでもなく、カートリッジ３９内面の汚れがひどくなったときにカートリッジ３９を基台部３８から簡単に取り外して洗浄することができる。また、小便受口２１Ａで受け損なった小便がカートリッジ３９の外面を伝った場合でも、外面を伝った小便は基台部３８の内面で収受され底面開口４１、枢支軸９Ａ内、扁平チューブ５８を経て排出されるので、小便収容筒２０Ａの外面が汚れにくくなり見た目にも清潔感をもたらす。尚、基台部３８背面の側板部５５，５５の左右外側のスペースは、マイコンなど制御器その他の機材を設置するスペースとして有効に活用できる。また、枢支軸９Ａと扁平チューブ５８は一体部品でなく別部品とし、これらを接続して用いるようにしても構わない。
【００３５】
また、例えば図９に示すような実施形態の男子用便器１Ｂも本発明の小便収容筒に含まれる。この男子用便器１Ｂが前記の男子用便器１と異なるところは、左右両側部に脚部４４，４４（ひとつの脚部４４は図示省略）が垂設された小便収容筒２０Ｂを小便収容筒２０に替えて用いたことと、便器本体１１に対して便蓋１３を枢支する枢支軸１５を枢支部の一部として用いたことである。脚部４４，４４はこれらの下端部に形成された軸穴が便座１２および便蓋１３の枢支軸１５に回動自在に装着されている。すなわち、小便収容筒２０Ｂの軸穴と洋式便器１０の枢支軸１５とから、小便収容筒２０Ｂを便蓋１３後方の直立位置と便蓋１３上方の小便受位置との間で揺動自在に枢支する枢支部が構成される。この男子用便器１Ａによれば、洋式便器１０の既存の枢支軸１５を共用するため、本体フレーム２Ａ側に枢支部用の軸穴などを設ける必要がなく、製作の手間とコストの削減化に寄与する。
【００３６】
尚、小便収容筒を小便受位置で揺動停止させる手段としては、前記したワイヤ４６に限らず、チェーンや紐などの条体でも構わない。あるいはこれらの条体に替えて、小便収容筒の枢支軸の回動を規制して小便収容筒を小便受位置で停止させるラチェットギヤ機構その他を採用してもよい。また、上記では枢支部として、小便収容筒２０，２０Ａに枢支軸９，９を設け本体フレーム２に軸穴１８，１８を形成したが、これらとは逆に、本体フレーム側に枢支軸を設け小便収容筒側に軸穴を形成して枢支部とすることも可能である。
【００３７】
また、上記では小便収容筒を格納部内の直立位置で掛止させる手段として、小便収容筒のマグネットと本体ケーシングのマグネットを例示したが、これらのマグネットに限らず、係脱可能に係合する部材を用いてよい。
また、制御箱１４が無く便蓋１３および便座１２が薄手である汎用西洋便器に適用する場合、本発明の男子用便器は枢支部の位置を低くとれるので、高さがコンパクトな本体フレームを用いることができ、小人男子も使いやすくなる。
【００３８】
尚、本発明にいう小便収容筒の直立位置とは、小便収容筒の筒心が鉛直方向を向いている位置のみならず、小便収容筒の筒心が鉛直方向から前後に適当角度傾いた位置も含んでいる。例えば、前傾角度は便蓋を上げて便座に腰掛けた利用者の邪魔にならない角度である。後傾角度は水タンクと接触干渉しない角度である。
【００３９】
更に、本発明の男子用便器としては、例えば図１０〜図２０に示した実施形態の小便収容筒２０Ｃを備えた男子用便器１Ｃも含まれる。この男子用便器１Ｃでは、便蓋１３Ｃの上面に小便収容筒２０Ｃが一体に設けられている。小便収容筒２０Ｃは、便蓋１３Ｃの上面に一体に設けられた基台部３８Ｃと、基台部３８Ｃに着脱可能に装着される有底筒状のカートリッジ３９Ｃとから構成されている。基台部３８Ｃと一体の便蓋１３Ｃは、洋式便器１０の便器本体１１に枢支軸１５Ｃを介して揺動自在に枢支されている。この実施形態の場合、枢支軸１５Ｃの左右軸端部は、例えば制御箱１４の左右端部に突設された軸支部８０，８０にそれぞれ固定される。また、便蓋１３Ｃの前面には、大便使用時や便受槽清掃時に持ち上げられる把手２３Ｃが取り付けられている。
【００４０】
基台部３８Ｃ（図１５参照）は、便蓋１３Ｃの上面後端で左右に沿って立設された底板部６１Ｃと、底板部６１Ｃの左右端部とつながるとともに前後に沿って立設された左右１対の側板部５５Ｃ，５５Ｃと、底板部６１Ｃの上部および側板部５５Ｃ，５５Ｃの後側上部に固着された受板部５６Ｃと、底板部６１Ｃの左右端部に設けられて前記の枢支軸１５Ｃに回動自在に枢支される一対の軸受部５７Ｃ，５７Ｃとから構成されている。前記した底板部６１Ｃ、側板部５５Ｃ，５５Ｃ、受板部５６ｃ、および便蓋１３Ｃの上面で囲まれた空間が、カートリッジ３９を収容して保持する収容ポケット６８となる。そして、側板部５５Ｃ，５５Ｃの前端上部には、それぞれ左右外向きに突出した係止突起７６，７６が形成されている。基台部３８Ｃにおける底板部６１Ｃの左右中央部からやや左寄りには底面開口４１Ｃが形成されており、この底面開口４１Ｃを囲む取出し筒部７８が底板部６１Ｃと一体に検出されている。
【００４１】
カートリッジ３９Ｃ（図１６参照）はその揺動側先端に左右横長の小便受口２１Ｃを有しており、底端の左寄り部分には可撓チューブ３０の末端と接続される小便排出口２２Ｃが形成されている。基台部３８Ｃの底面開口４１Ｃは、カートリッジ３９Ｃの小便排出口２２Ｃに接続された可撓チューブ３０が開口内で自由に移動できる口径に設定されている。そして、軸受部５７Ｃ，５７Ｃには横方向の軸穴１８Ｃ，１８Ｃが形成されている。これらの軸穴１８Ｃ，１８Ｃが枢支軸１５Ｃに回動自在に枢支されることにより、小便収容筒２０Ｃが便器本体１１に対し揺動自在となる。これらの枢支軸１５Ｃと軸穴１８Ｃとから枢支部４５Ｃが構成される。そうして、便蓋１３Ｃは便座１２上に載置されたときに自身の上面すなわちカートリッジ３９Ｃが後方下向きに傾斜するように形成されており、その傾斜角度θは２〜５度程度である。
【００４２】
枢支軸１５Ｃ（図１２他参照）の左右中央部からやや左寄りには前上部開口５９が形成され、前上部開口５９の下方には下部開口６０（図２０参照）が形成されている。そして、下部開口６０の周囲を囲む扁平チューブ５８が枢支軸１５Ｃと一体に形成されている。尚、前記した基台部３８Ｃの取出し筒部７８は下向きに延在して枢支軸１５Ｃの前上部開口５９内に入り込んだ状態に配置されている。そして、前上部開口５９と後部開口６０の前後方向の開口幅と開口位置は、小便収容筒２０Ｃが便座１２上の載置位置と小便受位置との間を揺動したときに、小便排出口２２Ｃ、可撓チューブ３０、および取出し筒部７８が前上部開口５９の開口縁と無用な干渉を引き起こすことがなく、かつ、可撓チューブ３０の曲がりを下部開口６０が邪魔しないような範囲にそれぞれ決められている。前記の扁平チューブ５８は枢支軸１５Ｃから離れるほどより扁平となるように形成されている。かかる扁平チューブ５８の扁平形状により、便座１２、便蓋１３Ｃ、制御箱１４などの間の狭い隙間でも、可撓チューブ３０を内蔵した状態で通すことができる。そして、前記の枢支軸１５Ｃに回動自在に装着される便座１２の軸受部７７（図１７参照）は、基台部３８Ｃの取出し筒部７８との干渉を避けるために便座本体の後部で左右中心部から右寄りに偏って配置されている。
【００４３】
カバー部材６５は、天板部６５ａと、天板部６５ａの左右両側で前後に沿って垂設された側板部６５ｂ，６５ｂと、天板部６５ａの前端位置に垂設されて左右の側板部６５ｂ，６５ｂにつながる蓋部６６とから主として構成されている。カバー部材６５内で、天板部６５ａの下面、側板部６５ｂ，６５ｂ、および蓋部６６の背面に囲まれた空間は、カバー部材６５の蓋部６６が小便収容筒２０Ｃの小便受口２１Ｃを蓋止したときに小便収容筒２０Ｃの基台部３８Ｃおよびカートリッジ３９Ｃを格納する格納空間７４となっている。カバー部材６５の蓋部６６の前面には把手６７が取り付けられている。そして、側板部６５ｂ、６５ｂの後端には、枢支軸１５Ｃに回動自在に枢支される軸受部７１，７１が形成されている。
【００４４】
側板部６５ｂ，６５ｂ内面の前端下部には、それぞれ内向きに突出した係止突起７３，７３が形成されている。これらの係止突起７３，７３は基台部３８Ｃの係止突起７６，７６の下方に配置されて係止突起７６，７６を着脱自在に載置支持するようになっている。蓋部６６の背面は小便収容筒２０Ｃの小便受口２１Ｃを蓋止する蓋止面７５となっている。この蓋止面７５には、蓋止された小便受口２１Ｃに散水する洗浄ノズル２８，２８が配置されている。洗浄ノズル２８，２８とつながった配管２９，２９の端部は、図５に示した散水手段４７のポンプ１９の吐出側と接続されている。また、カバー部材６５の蓋部６６の下面にスイッチ（検知手段）６９が配備されており、図５に示した散水手段４７の制御装置３２に信号出力するようになっている。
【００４５】
上記のように構成された男子用便器１Ｃは、既存の便蓋１３（図１、図２など参照）と取り替えて使用される。更に、既存の枢支軸１５（図９など参照）が枢支軸１５Ｃと取り替えられ、既存の便座が前記の便座１２と取り替えられ、軸支部８０，８０付きの制御箱１４が用いられる。そして、使用に先立ち、基台部３８Ｃの収容ポケット６８にカートリッジ３９Ｃが装着され、カートリッジ３９Ｃとつながった可撓チューブ３０が基台部３８Ｃの底面開口４１Ｃ、枢支軸１５Ｃの前上部開口５９、および下部開口６０を経て扁平チューブ５８内に通される。可撓チューブ３０および扁平チューブ５８の自由端は便器本体１１の便受槽内に投入される。
【００４６】
小用に際し、図１８に示すように、男性利用者が把手６７を持ってカバー部材６５を持ち上げる（矢印３１）と、小便収容筒２０Ｃの小便受口２１Ｃが開口する。この状態であると、小人の小用に好適である。引続き、図１９に示すように、カバー部材６５を更に持ち上げる（矢印３１Ａ）と、カバー部材６５の係止突起７３，７３が係止突起７６，７６を載置支持して小便収容筒２０Ｃおよび便蓋１３Ｃを上向きに揺動させる。これにより、小便受口２１Ｃが大人用の小便受位置に達する。
【００４７】
そこで、男性利用者から放出された小便Ｓは、小便受口２１からカートリッジ３９Ｃ内に収容される。上記のように収容された小便Ｓは小便排出口２２Ｃから可撓チューブ３０を通って便器本体１１の便受槽内に流入し器外へ排出される。小用を終えたのち、男性利用者が把手６７を持つ手を緩めると、カバー部材６５、小便収容筒２０Ｃ、および便蓋１３Ｃが下向きに揺動して、まず便蓋１３Ｃの底面が便座１２上に載置される。引続き、カバー部材６５が下向きに揺動して蓋部６６が小便収容筒２０Ｃの小便受口２１を蓋止する。すると、スイッチ６９が便蓋１３Ｃ上面に接して入にされ散水手段４７の制御装置３２に入信号が伝達される。制御装置３２はカバー部材６５の蓋部６６が小便収容筒２０Ｃの小便受口２１Ｃを蓋止したことを検知してポンプ１９を駆動し、洗浄ノズル２８，２８から小便収容筒２０Ｃのカートリッジ３９Ｃ内にシャワー水Ｔを散水させる。
【００４８】
上記したように、男子用便器１Ｃは小便収容筒２０Ｃと便蓋１３Ｃとを一体にした簡単な構成である。従って、男子用便器１Ｃは汎用便蓋と交換して簡便に使用することができる。これにより、既存の洋式便器に簡単に後付けされて安価に提供される。また、小便収容筒２０Ｃの小便受口２１Ｃをカバー部材６５で蓋止するだけで自動的にカートリッジ３９Ｃの内壁面が洗浄される。また、使用しないときは小便収容筒２０Ｃの小便受口２１Ｃがカバー部材６５で蓋止されているので、図１０に見られるように、見栄えがよく大きな場所をとることもない。
【００４９】
尚、上記した男子用便器１Ｃでは、小便収容筒２０Ｃをカバー部材６５に連動させて持ち上げる構造として、係止突起７６，７６と係止突起７３，７３を例示したが、本発明はこれに限定されない。例えば、カバー部材６５に係止用長穴を形成し、この係止用長穴内で移動自由に掛止されるボルトの末端を小便収容筒２０Ｃまたは便蓋１３Ｃに取り付けたようなものであってもよい。
また、上記では小便収容筒がそれぞれ別体の基台部とカートリッジとからなるものを例示したが、基台部とカートリッジに相当する構成を一体とし更に便蓋を一体に構成したものも本発明に含まれることは言うまでもない。
【図面の簡単な説明】
【００５０】
【図１】本発明の一実施形態に係る男子用便器およびこれを設置した洋式便器を示す外観図である。
【図２】前記男子用便器および洋式便器の正面図である。
【図３】前記男子用便器および洋式便器の左側面図である。
【図４】前記男子用便器および洋式便器の部分左側面図である。
【図５】前記男子用便器および洋式便器の制御系統を示す構成図である。
【図６】本発明の別の実施形態に係る男子用便器の小便収容筒の分解斜視図である。
【図７】前記別実施形態の小便収容筒の部分拡大左側断面図である。
【図８】前記別実施形態の小便収容筒および洋式便器の部分左側断面図である。
【図９】本発明の更に別の実施形態に係る男子用便器の一部側面およびこれを取り付けた洋式便器の左側面図である。
【図１０】本発明の他の実施形態に係る男子用便器および洋式便器の正面図である。
【図１１】前記他実施形態の男子用便器および洋式便器の一部断面を含む側面図である。
【図１２】前記他実施形態の男子用便器の平面図である。
【図１３】前記他の男子用便器に用いるカバー部材の外観図である。
【図１４】前記カバー部材の蓋部を部分的に示す一部破断した外観図である。
【図１５】前記他の男子用便器に用いる小便収容筒と一体型の便蓋を示す外観図である。
【図１６】前記他の男子用便器に用いるカートリッジの外観図である。
【図１７】前記他の男子用便器を用いる洋式便器の便座の外観図である。
【図１８】前記他の男子用便器の動作説明図である。
【図１９】前記他の男子用便器の別の動作説明図である。
【図２０】図１９に対応した状態の側断面図である。
【符号の説明】
【００５１】
１，１Ａ，１Ｂ，１Ｃ  男子用便器
２    本体フレーム
３    脚部
５    格納部
９，９Ａ  枢支軸
１０  洋式便器
１１  便器本体
１３，１３Ｃ  便蓋
１５，１５Ｃ  枢支軸
１８，１８Ａ，１８Ｃ  軸穴
１９  ポンプ
２０，２０Ａ，２０Ｂ，２０Ｃ  小便収容筒
２１，２１Ａ，２１Ｃ  小便受口
２２，２２Ａ，２２Ｃ  小便排出口
２６，６９  スイッチ（検知手段）
２８  洗浄ノズル
３０  可撓チューブ
３２  制御装置
３８，３８Ｃ  基台部
３９，３９Ｃ  カートリッジ
４５，４５Ａ，４５Ｃ  枢支部
４７  散水手段
６５  カバー部材
６６  蓋部
７５  蓋止面
Ｓ    小便
【図１】
2008133705.tif 000003
【図２】
2008133705.tif 000004
【図３】
2008133705.tif 000005
【図４】
2008133705.tif 000006
【図５】
2008133705.tif 000007
【図６】
2008133705.tif 000008
【図７】
2008133705.tif 000009
【図８】
2008133705.tif 000010
【図９】
2008133705.tif 000011
【図１０】
2008133705.tif 000012
【図１１】
2008133705.tif 000013
【図１２】
2008133705.tif 000014
【図１３】
2008133705.tif 000015
【図１４】
2008133705.tif 000016
【図１５】
2008133705.tif 000017
【図１６】
2008133705.tif 000018
【図１７】
2008133705.tif 000019
【図１８】
2008133705.tif 000020
【図１９】
2008133705.tif 000021
【図２０】
2008133705.tif 000022